(57)【特許請求の範囲】
【請求項１】
足場板が上下に階層状に設けられ、上下の足場板どうしを梯子でつなぎ且つ各足場板に梯子からの出入口となるハッチを設けると共に、このハッチを開閉する作業床を設けてなる架設足場において、前記ハッチの概ね四隅部に梯子取付用ブラケットが配設され、これら４個のブラケットは、足場板の長手方向に沿った左右方向に対向するブラケットの対向面間の距離と、前後に対向するブラケットの対向面間の距離とが略等しく且つその距離が梯子の横幅に略等しくなるように設定され、左右に対向するブラケットの対向面及び前後に対向するブラケットの対向面には、その対向面間に挿入されて立設される梯子の両側面から夫々突出する梯子取付用の係止ピンが突入可能なピン孔が夫々配設されてなる架設足場。
【請求項２】
左右何れか一方側で前後に対向するブラケットの対向面に配設されたピン孔と、他方側で前後に対向するブラケットの対向面に設けられたピン孔との配設ピッチが、梯子の上端部に設けられた梯子取付用の上段側係止ピンと、この上段側係止ピンの下方に設けられた下段側係止ピンとの配設ピッチに略等しくなるように設定されてなる請求項１に記載の架設足場。
【発明の詳細な説明】
【０００１】
【発明の属する技術分野】
本発明は、建設作業現場で使用される仮設足場に関するもので、更に詳しくは足場板が上下に階層状に設けられ、上下の足場板どうしを梯子でつなぎ且つ各足場板に梯子からの出入口となるハッチを設けると共に、このハッチを開閉する作業床を足場板に枢着してなる架設足場に関する。
【０００２】
【従来の技術及びその課題】
従来、上記のような仮設足場の足場板に設けてあるハッチには、その左右何れかの端部に梯子取付用のブラケットが設けてあって、このブラケットのピン孔に梯子の上端部両側面から夫々突出する梯子取付用係止ピンを突入させることによって、梯子を、この梯子の幅方向が足場板の長手方向と直交する向きに取り付けるようになっている。このように、足場板のハッチに、梯子が足場板の長手方向と直交する向きに取り付けられると、幅の広い足場（足場幅が９００ｍｍ〜１２００ｍｍ程度）が組めない現場では、その梯子の設置された足場板上では、梯子が邪魔になって通行できなくなることがあった。
【０００３】
本発明は、足場板のハッチに梯子を足場板の長手方向及びそれと直交する方向に取り付けることができ、足場の状況に応じて任意の向きに梯子を設置できるようにした仮設足場を提供することを目的とする。
【０００４】
【課題を解決するための手段】
請求項１に係る発明は、足場板１が上下に階層状に設けられ、上下の足場板１どうしを梯子５でつなぎ且つ各足場板１に梯子５からの出入口となるハッチ３を設けると共に、このハッチ３を開閉する作業床４を設けてなる架設足場において、前記ハッチ３の概ね四隅部に梯子取付用ブラケット２４，２４，２５，２５が配設され、これら４個のブラケットは、足場板１の長手方向に沿った左右方向に対向するブラケット２４，２５の対向面間の距離Ａと、前後に対向するブラケット２４，２４及び２５，２５の対向面間の距離Ｂとが略等しく且つその距離Ａ，Ｂが梯子５の横幅Ｗに略等しくなるように設定され、左右に対向するブラケット２４，２５の対向面及び前後に対向するブラケット２４，２４及び２５，２５の対向面には、その対向面間に挿入されて立設される梯子５の両側面から夫々突出する梯子取付用の係止ピン１１，１２が突入可能なピン孔ａ，ｂが夫々配設されてなることを特徴とする。
【０００５】
請求項２は、請求項１に記載の架設足場において、左右何れか一方側で前後に対向するブラケット２４，２４の対向面に配設されたピン孔ｂと、他方側で前後に対向するブラケット２５，２５の対向面に設けられたピン孔ｂとの配設ピッチＰが、梯子５の上端部に設けられた梯子取付用の上段側係止ピン１１と、この上段側係止ピン１１の下方に設けられた下段側係止ピン１２との配設ピッチＱに略等しくなるように設定されてなることを特徴とする。
【０００６】
【発明の実施の形態】
図１は、足場板１が上下に複数階層状に設けられた仮設足場を示したもので、上下の足場板１どうしを梯子５でつなぎ且つ各足場板１に梯子５からの出入口となるハッチ３を設けると共に、このハッチ３を開閉する作業床４を設けている。図２は作業床４が閉鎖位置ある状態を示す足場板１の斜視図であり、図３は作業床４が開放位置ある状態での同足場板１の斜視図、図４は同足場板１の作業床４部分の拡大平面図である。また図５は同足場板１の作業床４部分の拡大底面図、図６は図５の一部拡大図である。
【０００７】
上記足場板１の構造について説明すると、足場板本体２の両端部には、足場用建枠の横材６に係止される係止フック７が突設されており、この足場板本体２の一端部側にハッチ３が設けられると共に、このハッチ３を開閉する作業床４が、足場板１の横断方向に沿って開閉するように足場板１に枢着されている。そして作業床４にはその開閉方向前後に、足場板本体２に対し着脱可能な枢着部８，９が設けられていて、その前後何れか一方の枢着部８又は９を脱出状態に、他方の枢着部９又は８を枢着状態に維持することにより、作業床４が開閉方向前後の何れからも開閉可能に足場板本体２に枢着されるようになっている。図３では、枢着部８が枢着状態、枢着部９が脱出状態となっている。
【０００８】
図１、図３及び図５に示すように、足場板本体２に設けてあるハッチ３の概ね四隅部には、梯子取付用ブラケット２４，２５が配設されている。図８は、ハッチ３内に配設されている４個の梯子取付用ブラケット２４，２４，２５，２５の配置状態を示す。この図８から分かるように、ハッチ３の前後側縁部イ，ロ及び左右側縁部ハ，ニからなる開口周縁のうち、前後側縁部イ，ロの夫々の両端部に、梯子取付用ブラケット２４，２５が取り付けられ、各ブラケット２４，２５には梯子５の両側面から突出する梯子取付用の係止ピン１１，１２（図９及び図１０参照）が突入可能なピン孔ａ，ｂが設けられている。
【０００９】
ハッチ３の開口周縁に配設された４個のブラケット２４，２４，２５，２５は、図８に示すように、左右に対向するブラケット２４，２５の対向面間の距離Ａと、前後に対向するブラケット２４，２４及び２５，２５の対向面間の距離Ｂとが略等しく且つその距離Ａ，Ｂが梯子５の横幅Ｗ（図９参照）に略等しくなるように設定されている。そして、左右に対向するブラケット２４，２５の対向面及び前後に対向するブラケット２４，２４及び２５，２５の対向面には、梯子５の両側面から夫々突出する梯子取付用の係止ピン１１，１２が突入可能なピン孔ａ，ｂが夫々配設されている。
【００１０】
また、上記４個のブラケット２４，２４，２５，２５のうち、左右何れか一方側、例えば図８において左側で前後に対向するブラケット２４，２４の対向面に設けられたピン孔ｂと、他方側、即ち右側で前後に対向するブラケット２５，２５の対向面に設けられたピン孔ｂとの配設ピッチＰが、梯子５の上端部に設けられた梯子取付用の上段側係止ピン１１と、この上段側係止ピン１１の下方に配設された下段側係止ピン１２との配設ピッチＱ（図９参照）に略等しくなるように設定されている。
【００１１】
図９は梯子５の正面図であり、図１０の（Ａ）は図９に示す梯子５の一部拡大正面図、（Ｂ）はその左側面図、（Ｃ）はその平面図である。図９から分かるように、梯子５は、足場板本体２の長さより若干短い長さを有する両側一対の支柱３１，３１に踏杆３２を一定間隔おきに横架してなるもので、各支柱３１の上端部には、その外側面からコイルバネ３３の付勢力で突出する係止ピン１１が設けられ、またこの係止ピン１１の突出位置から下方へＱだけ隔たった位置において同様にその外側面からコイルバネ３３の付勢力で突出する係止ピン１２が設けられている。
【００１２】
各係止ピン１１，１２は、図９の（Ａ）〜（Ｃ）から分かるように、支柱３１とこれに取り付けられたブラケット３４とに貫通されて水平方向にスライド自在に支持されていて、コイルバネ３３によりピン先端部が支柱３１の外側面から突出するように付勢されている。また、この係止ピン１１，１２の内端部は、Ｌ字状に折曲されて操作部１１ａ，１２ａを形成しており、前記ハッチ３内のブラケット２４，２５に梯子５を取り付けたり、又は取り外す際に、この操作部１１ａ，１２ａをコイルバネ３３の付勢力に抗して手前に引くことにより、係止ピン１１，１２の先端部を引っ込めるようになっている。尚、梯子５の上端部側の係止ピン１１とこれの下方側の係止ピン１２とは全く同じ構造である。
【００１３】
作業床４の開閉方向前後に設けられた両枢着部８，９は、同じ構造であって、各枢着部８，９は、図５及び図６から分かるように、足場板本体の長手方向側端部に沿った作業床の前後各端部に、同軸上で互いに独立してスライド自在に配置された一対の枢軸用ロッド１３，１３からなり、両枢軸用ロッド１３，１３は、各ロッド１３の外端部１３ａが作業床４の左右両端から常時突出するようにコイルバネ１４によって付勢されており、しかして両枢軸用ロッド１３，１３の突出端部１３ａ，１３ａが、足場板本体２側に設けられたロッド支持穴１５，１５に（図７参照）夫々突入することによって枢着状態となり、両枢軸用ロッド１３，１３の内端部に夫々設けられた操作用把持部１３ｂ，１３ｂをコイルバネ１４，１４の付勢力に抗して引き寄せることにより、両枢軸用ロッド１３，１３の突出端部１３ａ，１３ａが前記ロッド支持穴１５，１５から夫々脱出して脱出状態となる。
【００１４】
各枢着部８，９を構成する一対の枢軸用ロッド１３，１３の各ロッド１３は、足場板本体２に取り付けられたスライド支持部材１６，１７によってスライド自在に支持されている。そして、各枢軸用ロッド１３の内端部に設けられた操作用把持部１３ｂは、このロッド１３の内端部をコ字状に折り返して形成されたもので、図６に示すように、コ字状折り返し部分の先端部に取着された固定ピン１８とスライド支持部材１６の一端面との間にコイルバネ１４が嵌装され、このコイルバネ１４によって各ロッド１３が各ロッド１３の外端部１３ａが作業床４の左右各端から突出付勢されると共に、その突出長さが、スライド支持部材１６の他端面に当接する固定ピン１９によって制限されるようになっている。
【００１５】
従って、各枢着部８，９を足場板本体２に対して脱出状態にする時は、両枢軸用ロッド１３，１３の操作用把持部１３ｂ，１３ｂを、図６の矢印で示すようにコイルバネ１４，１４の付勢力に抗して引き寄せると、両枢軸用ロッド１３，１３の突出端部１３ａ，１３ａが足場板本体２のロッド支持穴１５，１５から夫々脱出して脱出状態となる。この場合、作業床４を形成する床板４ａには、図６に示すように、両枢軸用ロッド１３，１３の操作用把持部１３ｂ，１３ｂが配設されている部分に指挿入用開口部２０が開口形成されているから、作業床４の表側及び裏側の何れからでも指を挿入させて、操作用把持部１３ｂ，１３ｂを簡単容易に引き寄せ操作することができる。
【００１６】
また、図７の（Ａ）及び（Ｂ）に示すように、各枢軸用ロッド１３の外端部１３ａには夫々係合斜端面２１が形成されていて、前後両枢着部８，９の何れか一方、例えば枢着部８を枢着状態にし、他方の枢着部９を脱出状態にして、作業床４を開放状態から閉鎖する時に、他方の枢着部９を構成する枢軸用ロッド１３の係合斜端面２１を、図７の（Ａ）に示すように足場板本体２側に設けられたロッド支持穴１５の入口部に対しその上方から押し付けることにより、その係合斜端面２１の楔作用で枢軸用ロッド１３が前記コイルバネ１４に抗し引き寄せられて当該ロッド１３の外端部１３ａが同図の（Ｂ）に示すようにロッド支持穴１５に突入し、作業床４を閉鎖位置に自動的にロックするようになっている。
【００１７】
実際の使用に際しては、一方の枢着部８を枢着状態にし、他方の枢着部９を脱出状態にした作業床４を、図３に示すように起立した状態から閉じる方向に押し倒せば、枢着部９側にある両枢軸用ロッド１３，１３の突出端部１３ａ，１３ａがその係合斜端面２１，２１によりロッド支持穴１５，１５に突入して、閉鎖位置に自動的にロックされることになる。尚、各枢軸用ロッド１３の外端部（突出端部）１３ａが突入して支持されるロッド支持穴１５は、図７に示すように、足場板本体２の端部横枠２２の内側凹段部２２ａ所要位置に固定されたナット部材２３に同心状形成された穴からなる。
【００１８】
上記のように構成される仮設足場において、各足場板１に設けられた作業床４の開閉操作について説明すると、図２に示すように作業床４の両枢着部８，９がいずれも枢着状態に維持されて閉鎖位置にある作業床４を、図３に示すように枢着部９側から開放させる際には、この枢着部９側における両枢軸用ロッド１３，１３の操作用把持部１３ｂ，１３ｂを把持して引き寄せると、両枢軸用ロッド１３，１３の突出端部１３ａ，１３ａが足場板本体２側のロッド支持穴１５，１５から脱出するから、この作業床４の枢着部９側を引き起こして図３に示すような起立姿勢にすればよい。この起立姿勢に保持されている作業床４を、閉鎖方向に倒せば、図７によって説明したように、枢着部９側にある両枢軸用ロッド１３，１３の突出端部１３ａ，１３ａがその係合斜端面２１，２１によりロッド支持穴１５，１５に突入して、閉鎖位置に自動的にロックされる。
【００１９】
上記のように閉鎖位置にロックされている作業床４を、今度は、図３に示す場合とは反対側の枢着部８側から開放させる時には、この枢着部８側における両枢軸用ロッド１３，１３の操作用把持部１３ｂ，１３ｂを把持して引き寄せると、前記同様に、両枢軸用ロッド１３，１３の突出端部１３ａ，１３ａが足場板本体２側のロッド支持穴１５，１５から脱出するから、この作業床４の枢着部８側を引き起こして、前記同様に起立姿勢にすればよい。
【００２０】
また、作業床４をハッチ３から取り外す場合には、作業床４の一方側にある枢着部８の枢軸用ロッド１３，１３の操作用把持部１３ｂ，１３ｂと、他方側にある枢着部８の枢軸用ロッド１３，１３の操作用把持部１３ｂ，１３ｂとを同時に把持すれば、両方の枢着部８，９が足場板本体２に対して脱出状態となるから、そのまま引き上げることによって、作業床４をハッチ３から簡単容易に取り外しことができる。
【００２１】
次に、図１に示すような仮設足場において、上下の足場板１どうしを梯子５でつなぐ際のハッチ３内での梯子５の取付方法、及び梯子５を足場板１の裏側に収納する方法について、図１１〜図１５を参照して説明する。
【００２２】
図１１は、図１に示す仮設足場の中段側足場板１と下段側足場板１とをつなぐ梯子５のように、梯子５を、その幅方向が足場板１の長手方向と直交する向きで、且つハッチ３の開口周縁の右側縁部ニに沿って取り付ける場合を示すもので、この場合は、図８にも示すように、ハッチ３内の右端側で前後に対向する２個のブラケット２５，２５間の対向するピン孔ｂ，ｂに沿った位置▲４▼（図８参照）に梯子５の上端部側を挿入し、この梯子５の両側面から突出する係止ピン１１，１１を両ブラケット２５，２５のピン孔ｂ，ｂに突入させればよい。
【００２３】
図示は省略するが、梯子５をハッチ３の開口周縁の左側縁部ハに沿って取り付ける時は、ハッチ３内の左端側で前後に対向する２個のブラケット２４，２４間の対向するピン孔ｂ，ｂに沿った位置▲３▼（図８参照）に梯子５の上端部側を挿入し、梯子５の両側面から突出する係止ピン１１，１１を両ブラケット２４，２４，９のピン孔ｂ，ｂに突入させる。
【００２４】
図１２は、図１に示す仮設足場の上段側足場板１と中段側足場板１とをつなぐ梯子５のように、梯子５を、その幅方向が足場板１の長手方向と平行する向きで、且つハッチ３の開口周縁の後側縁部ロに沿って取り付ける場合を示すもので、この場合は、ハッチ３の開口周縁の後側縁部ロに沿ってその左右両端部にある２個のブラケット２４，２５間の対向するピン孔ａ，ａに沿った位置▲２▼（図８参照）に梯子５の上端部側を挿入し、この梯子５の両側面から突出する係止ピン１１，１１を両ブラケット２４，２５のピン孔ａ，ａに突入させればよい。
【００２５】
また図示は省略するが、ハッチ３の開口周縁の前側縁部イに沿って取り付ける場合は、その前側縁部イに沿ってその左右両端部にある２個のブラケット２４，２５間の対向するピン孔ａ，ａに沿った位置▲１▼（図８参照）に梯子５の上端部側を挿入し、梯子５の両側面から突出する係止ピン１１，１１を両ブラケット２４，２５のピン孔ａ，ａに突入させるようにする。
【００２６】
上記した図１２に示す取付例のように、ハッチ３の開口周縁の前側縁部イあるいは後側縁部ロに沿った位置に梯子５を取り付けることができて、梯子５を、その幅方向が足場板１の長手方向と平行するように設置できるから、幅の狭い（足場幅が５００ｍｍ程度）足場しか組めない現場でも、その梯子５の設置された下段側の足場板１上での通行が可能となる。尚、図１４は、ハッチ３内の前側縁部イあるいは後側縁部ロに沿った位置に梯子５を取り付けた場合の仮設足場の縦断面図である。この図からも、梯子５の設置された下段側の足場板１上を通行できることが分かる。
【００２７】
図１３は、梯子５を収納する場合を示している。即ち、図８にも示すように、ハッチ３内の左端側で前後に対向するブラケット２４，２４の対向面に設けられたピン孔ｂと、ハッチ３内の右端側で前後に対向するブラケット２５，２５の対向面に設けられたピン孔ｂとの配設ピッチＰが、梯子取付用の上段側係止ピン１１と、下段側係止ピン１２との配設ピッチＱ（図９参照）に略等しくなるように設定されていることから、先ず、ハッチ３内の右端側で前後に対向する２個のブラケット２５，２５間の対向するピン孔ｂ，ｂに沿った位置▲４▼（図８参照）に梯子５の上端部側を挿入して、梯子５の両側面から突出する係止ピン１１，１１を両ブラケット２５，２５のピン孔ｂ，ｂに突入させることにより、梯子５の上端部を上記両ブラケット２５，２５に枢着する。
【００２８】
この後、その梯子５を、図１５の（Ａ）に示すように係止ピン１１，１１を中心に上向きに揺動旋回させて足場板１の裏面側に当接させた状態とし、この状態で、ハッチ３内の左端側で前後に対向する２個のブラケット２４，２４間の対向するピン孔ｂ，ｂに、梯子５の下段側にある係止ピン１２，１２を突入させる。これによって、梯子５は、足場板１の裏側に収納された状態となり、この収納状態を図１５の（Ｂ）に示す。尚、ハッチ３の開口周縁の右側縁部ニに沿った位置には、足場板本体２の端部横枠２２（図７参照）が配設されているが、左側縁部ハに沿った位置には、上記端部横枠２２のような横枠が配設されていないので、梯子５は、足場板１の裏面に重合した状態で収納されるようになる。
【００２９】
上記のように梯子５を足場板１の裏側に簡単に収納させることができるから、梯子５を収納しておくことによって、足場板１及び梯子５の運搬に便利となる。また、梯子５を使用しない場合は、この梯子５の収納された足場板１の下段側の足場板１上での通行が可能となる。
【００３０】
以上説明したように、本発明に係る仮設足場では、ハッチ３の概ね四隅部に設けた４個の梯子取付用ブラケット２４，２４，２５，２５が、ハッチ３内において左右に対向するブラケット２４，２５の対向面間の距離Ａと、前後に対向するブラケット２４，２４及び２５，２５の対向面間の距離Ｂとが略等しく且つその距離Ａ，Ｂが梯子５の横幅Ｗに略等しくなるように設定され、そして左右に対向するブラケット２４，２５の対向面及び前後に対向するブラケット２４，２４及び２５，２５の夫々の対向面に、梯子５の両側面から夫々突出する梯子取付用の係止ピン１１，１２が突入可能なピン孔ａ，ｂが夫々配設されているから、ハッチ３に梯子５を取り付けるにあたって、ハッチの前後側縁部イ，ロ及び左右側縁部ハ，ニの何れの位置にも取り付けることができる。従って、足場幅が５００ｍｍ程度の幅の狭い足場しか組めない仮設足場にあっても、梯子の設置された下段側の足場板上での通行が可能となる。
【００３１】
また、ハッチ３内の左端側で前後に対向するブラケット２４，２４の対向面に設けられたピン孔ｂと、ハッチ３内の右端側で前後に対向するブラケット２５，２５の対向面に設けられたピン孔ｂとの配設ピッチＰが、梯子の上段側係止ピン１１と下段側係止ピン１２との配設ピッチＱに略等しくなるように設定されているから、ハッチ３内の右端側で前後に対向する２個のブラケット２５，２５間のピン孔ｂ，ｂに沿った位置▲４▼（図８参照）に梯子５の上端部側を挿入すると共に、ハッチ３内の左端側で前後に対向する２個のブラケット２４，２４間の対向するピン孔ｂ，ｂに、梯子５の下段側係止ピン１２，１２を突入させることによって、梯子５を足場板１の裏側に簡単に収納させることができ、足場板１及び梯子５の運搬や保管に便利となる。
【００３２】
以上の実施形態では、４個の梯子取付用ブラケット２４，２４，２５，２５を、ハッチ３内における前後側縁部イ，ロの夫々両端部に配設しているが、左右側縁部ハ，ニの夫々両端部に配設してもよく、更には四隅部に配設してもよい。
【００３３】
【発明の効果】
請求項１に係る発明によれば、ハッチに梯子を取り付けるにあたって、梯子をハッチの前後側縁部及び左右側縁部の何れの位置にも取り付けることができから、足場の状況に応じて任意の向きに梯子を設置することができる。特に、幅の狭い足場しか組めない仮設足場にあっても、梯子の設置された下段側の足場板上での通行が可能となる。
【００３４】
請求項２に係る発明によれば、梯子を足場板の裏側に収納させることができ、足場板及び梯子の運搬や保管に便利となる。
【図面の簡単な説明】
【図１】  足場板が上下に複数階層状に設けられた仮設足場を示す斜視図である。
【図２】  作業床が閉鎖位置ある状態を示す足場板の斜視図である。
【図３】  作業床が開放位置ある状態での同足場板の斜視図である。
【図４】  同足場板の作業床部分の拡大平面図である。
【図５】  同足場板の作業床部分の拡大底面図である。
【図６】  図５の一部拡大図である。
【図７】  （Ａ）は係合斜端面を形成した枢軸用ロッドの突出端部がロッド支持穴に突入する前段階を示す説明断面図、（Ｂ）は同枢軸用ロッドの突出端部が係合斜端面によりロッド支持穴に突入した状態示す説明断面図である。
【図８】  ハッチ内に配設されている４個の梯子取付用ブラケットの配置状態を示す説明斜視図である。
【図９】  梯子の正面図である。
【図１０】  （Ａ）は図９に示す梯子の一部拡大正面図、（Ｂ）はその左側面図、（Ｃ）はその平面図である。
【図１１】  ブラケットへの梯子の取付状態を示す説明斜視図である。
【図１２】  ブラケットへの梯子の取付状態を示す説明斜視図である。
【図１３】  梯子収納時におけるブラケットへの梯子の取付状態を示す説明斜視図である。
【図１４】  ハッチ内の前側縁部あるいは後側縁部に沿った位置に梯子を取り付けた場合の仮設足場の縦断面図である。
【図１５】  （Ａ）は足場板の裏側に梯子を収納している方法を示す側面図、（Ｂ）は梯子を収納した状態での足場板の底面図である。
【符号の説明】
１                      足場板
２                      足場板本体
３                      ハッチ
４                      作業床
５                      梯子
１１，１２              梯子取付用の係止ピン
２４，２５              梯子取付用ブラケット
ａ，ｂ                  ピン孔
【図１】
0003744836.tif 000002
【図２】
0003744836.tif 000003
【図３】
0003744836.tif 000004
【図４】
0003744836.tif 000005
【図５】
0003744836.tif 000006
【図６】
0003744836.tif 000007
【図７】
0003744836.tif 000008
【図８】
0003744836.tif 000009
【図９】
0003744836.tif 000010
【図１０】
0003744836.tif 000011
【図１１】
0003744836.tif 000012
【図１２】
0003744836.tif 000013
【図１３】
0003744836.tif 000014
【図１４】
0003744836.tif 000015
【図１５】
0003744836.tif 000016